(57)【要約】【課題】  成形工程数が少なく製造コストが安価である逆流防止弁の製造方法【解決手段】  少なくとも、キャビティとコアピンとからなる金型を用いて逆流防止弁を成形する逆流防止弁の製造方法において、  前記キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入して中栓体を成形すると共に、上型ピンと上スリーブピン及び下型ピンと下スリーブピンで囲まれる空間部に樹脂を流入して、弁体を成形し、前記中栓体と弁体が分離した状態で、同時成形されることを特徴とする逆流防止弁の製造方法。【選択図】 図１
2010179474.tif 000002
【特許請求の範囲】
【請求項１】
少なくとも、キャビティとコアピンとからなる金型を用いて逆流防止弁を成形する逆流防止弁の製造方法において、
前記キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入して中栓体を成形すると共に、上型ピンと上スリーブピン及び下型ピンと下スリーブピンで囲まれる空間部に樹脂を流入して、弁体を成形し、前記中栓体と弁体が分離した状態で、同時成形されることを特徴とする逆流防止弁の製造方法。
【請求項２】
少なくとも、キャビティとコアピンとからなる金型を用いて逆流防止弁を成形する逆流防止弁の製造方法において、
前記キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入してチューブ容器の頭部及びショルダー部を成形すると共に、上型ピンと上スリーブピン及び下型ピンと下スリーブピンで囲まれる空間部に樹脂を流入して、弁体を成形し、前記チューブ容器の頭部及びショルダー部と弁体が分離した状態で、同時成形されることを特徴とする逆流防止弁の製造方法。
【請求項３】
少なくとも、キャビティとコアピンとからなる金型を用いて逆流防止弁を成形する逆流防止弁の製造方法において、
前記キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入してチューブ容器の頭部、ショルダー部及び胴部を成形すると共に、上型ピンと上スリーブピン及び下型ピンと下スリーブピンで囲まれる空間部に樹脂を流入して、弁体を成形し、前記チューブ容器の頭部、ショルダー部及び胴部と弁体が分離した状態で、同時成形されることを特徴とする逆流防止弁の製造方法。
【請求項４】
弁体が、カップ部と脚部とから構成され、カップ部には円錐テーパー面が形成され、脚部には中栓体の弁座に係合する抜止部が形成され、中栓体の弁座には、前記円錐テーパー面と離着するテーパー部を形成したことを特徴とする逆流防止弁。
【発明の詳細な説明】
【技術分野】
【０００１】
この発明は逆流防止弁の製造方法及び逆流防止弁に関し、さらに詳しくは、弁体と中栓体が分離した状態で同時成形され、かつ低粘度の内容物に対しても、弁機能を確実に発揮できる逆流防止弁の製造方法及び逆流防止弁に関する。
【背景技術】
【０００２】
従来、押出しチューブ等の容器には、容器胴部の復元力により空気を吸い込むエアーバック現象があり、このため吸い込まれた空気により内容物に変質が生じたり、内容物が固化する場合がある。そこで、容器の口部に逆流防止弁を嵌合した、エアーバックを防止するための逆流防止弁付き容器が使用されている。従来の逆止弁付き容器は、弁体と中栓体とが連結されて同時成形で製造され、弁体を弁座に係合させるように当接させることができる。そして、逆流防止弁が冠着された容器内に、内容物が充填された場合、容器の胴部を押圧すると、内容物は弁孔から押出されて弁体を押し上げて外に吐出される。胴部の押圧を止めると、容器胴部の復元力により、逆流防止弁内の内容物は、容器内に戻されると共に、空気を吸い込もうとするが、同時に弁体も引き戻され弁体は弁孔を閉鎖する。これにより容器内へのエアーバックが防止される。
【０００３】
このような従来の逆流防止弁としては、図１２及び図１３に示すようなものがある。図１２において、５０は逆流防止弁であり５３は中栓である。中栓５３はチューブ５１の口部５２に嵌入されている。チューブ５１は単層若しくは多層のチューブ又はラミネートチューブである。中栓５３には、上方に通路５４が形成され、この通路５４の下方に連続して、内径が拡大された弁体収納部５５が形成されている。この弁体収納部５５の内径寸法は、球体５６の直径より若干大きく構成されている。弁体収納部５５の天面には、全周を３〜４等分するように弁止部５７が形成されており、球体５６が上昇することにより、球体５６が通路５４を閉鎖して内容物の通路５４を塞ぐのを防止している。一方、弁体収納部５５の下方には、球体５６を支持すると共に、球体５６との相互作用により、弁機能の役割を果たす突起部５８が形成されている。この突起部５８間の寸法は、球体５６より若干小さい寸法で構成され、球体５６は、中栓下部５９から無理挿入できる程度に突出されている。そして、球体５６と突起部５８の係脱により、弁機能が発揮されるものである。
【０００４】
又図１３は、従来の他の実施例であり、中栓体６０の弁体収納部６５に収納される弁体が、球体に代えてフロート体６６である。このフロート体６６の構成は、真中に形成される弁本体６６ａと、この弁本体６６ａから上方に伸びる上支持杆６６ｂと、下支持杆６６ｃとから構成されており、上支持杆６６ｂは、弁体収納部６５の上部に形成される通路６７内をスライドして、フロート体６６の上下動をスムーズに誘導する。図１２、図１３に示す従来の逆流防止弁にあっては、球体又はフロート体と突起は、線接触で離着する点が特徴である。このような従来の逆流防止弁の文献としては、特許文献１及び特許文献２がある。
【先行技術文献】
【特許文献】
【０００５】
【特許文献１】特願平１１−２８６５３３号
【特許文献２】特願２００２−２９０４３８号
【発明の概要】
【発明が解決しようとする課題】
【０００６】
しかし、従来の逆流防止弁の中栓体と、弁体である球体又はフロート体は、別々の製造工程で成形された後、中栓体下部の突起部間から弁体収納部へ圧入されるので、圧入する作業工程が必要であった。したがって、逆流防止弁の製造工程数が多くなると共に、製造コストが高くなる欠点があった。又従来の製造方法で製造された弁体は、球体又はフロート体と突起との係合が線接触であるため、突起又は球体等の成形不良等によって、低粘土の内容物の場合に、弁機能が確実に発揮されないという欠点があった。
【０００７】
本発明は、このような課題に着目してなされたものであり、弁体と中栓体が分離した状態で同時に同時成形される、成形工程数が少ない逆流防止弁の製造方法を提供すると共に、低粘土の内容物が充填された場合でも、弁機能が確実に発揮される逆流防止弁を提供することを目的とする。
【課題を解決するための手段】
【０００８】
この課題を解決するため、請求項１記載の発明の解決手段は、少なくとも、キャビティとコアピンとからなる金型を用いて逆流防止弁を成形する逆流防止弁の製造方法において、キャビティの中心に、上型ピンと上スリーブピンを配置すると共に、コアピンの中心に、下型ピンと下スリーブピンを配置し、キャビティと上スリーブピン及びコアピンと下スリーブピンで囲まれる空間部に樹脂を流入して中栓体を成形すると共に、上型ピンと上スリーブピン及び下型ピンと下スリーブピンで囲まれる空間部に樹脂を流入して、弁体を成形し、中栓体と弁体が分離した状態で、同時成形されることを特徴とする逆流防止弁の製造方法である。
【０００９】
請求項２記載の発明の解決手段は、少なくとも、キャビティとコアピンとからなる金型を用いて逆流防止弁を成形する逆流防止弁の製造方法において、
キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入してチューブ容器の頭部及びショルダー部を成形すると共に、上型ピンと上スリーブピン及び下型ピンと下スリーブピンで囲まれる空間部に樹脂を流入して、弁体を成形し、前記チューブ容器の頭部及びショルダー部と弁体が分離した状態で、同時成形されることを特徴とする逆流防止弁の製造方法である。
【００１０】
請求項３記載の発明の解決手段は、少なくとも、キャビティとコアピンとからなる金型を用いて逆流防止弁を成形する逆流防止弁の製造方法において、
前記キャビティの中心に、上型ピンと上スリーブピンを配置すると共に、コアピンの中心に、下型ピンと下スリーブピンを配置し、前記キャビティと上スリーブピン及びコアピンと下スリーブピンで囲まれる空間部に樹脂を流入してチューブ容器の頭部、ショルダー部及び胴部を成形すると共に、上型ピンと上スリーブピン及び下型ピンと下スリーブピンで囲まれる空間部に樹脂を流入して、弁体を成形し、前記チューブ容器の頭部、ショルダー部及び胴部と弁体が分離した状態で、同時成形されることを特徴とする逆流防止弁の製造方法である。
【００１１】
請求項４記載の発明の解決手段は、弁体が、カップ部と脚部とから構成され、カップ部には円錐テーパー面が形成され、脚部には中栓体の弁座に係合する抜止部が形成され、中栓体の弁座には、前記円錐テーパー面と離着するテーパー部を形成したことを特徴とする逆流防止弁である。
【発明の効果】
【００１２】
本発明によれば、弁体と中栓体が分離した状態で同時成形されるので、成形工程数が少なく製造コストが安価であるという効果を奏する。又低粘土の内容物を容器内に充填された場合でも、面接触により弁機能が確実に発揮されるので、エアーバックによる内容物の変質を防止できる効果を有する。
【図面の簡単な説明】
【００１３】
【図１】本発明に係る逆流防止弁の製造方法において、製造金型を示す実施例１の正面断面図。
【図２】本発明に係る逆流防止弁の製造方法において、上型ピンを離型する状態を示す実施例１の正面断面図。
【図３】本発明に係る逆流防止弁の製造方法において、上型ピン及び上スリーブピンを離型する状態を示す実施例１の正面断面図。
【図４】本発明に係る逆流防止弁の製造方法において、上型ピン、上スリーブピン及びキャビティを離型する状態を示す実施例１の正面断面図。
【図５】本発明に係る逆流防止弁の製造方法において、下型ピンを離型する状態を示す実施例１の正面断面図。
【図６】本発明に係る逆流防止弁の製造方法において、下型ピン及び下スリーブピンを離型する状態を示す実施例１の正面断面図。
【図７】本発明に係る逆流防止弁の製造方法において、下型ピン、下スリーブピン及びコアピンを離型する状態を示す実施例１の正面断面図。
【図８】本発明に係る逆流防止弁の製造方法で製造される弁体を有する中栓体を、チューブ容器の頭部内に接合した実施例２を示す正面断面図。
【図９】本発明に係る逆流防止弁の製造方法で製造される弁体を有する中栓体を、閉鎖膜付チューブ容器の頭部内に接合した実施例３を示す正面断面図。
【図１０】本発明に係る逆流防止弁の製造方法において、チューブ容器の頭部及びショルダー部と弁体を、同時成形する容器製造金型を示す実施例４の正面断面図。
【図１１】本発明に係る逆流防止弁の製造方法において、チューブ容器の頭部及びショルダー部と弁体を、同時成形する製造方法で製造されるチューブ容器を示す実施例４の正面断面図。
【図１２】従来の逆流防止弁の製造方法を示す正面断面図。
【図１３】従来の他の逆流防止弁の製造方法を示す正面断面図。
【発明を実施するための形態】
【００１４】
以下、本発明の実施例の一例を図面に基づいて説明する。
【実施例１】
【００１５】
図１〜図７は、この発明に係る逆流防止弁の製造方法の実施例１を示す図面である。図１は、キャビティ１と上スリーブピン２及びコアピン３と下スリーブピン４で囲まれる空間部に樹脂を流入して中栓体５を成形し、上型ピン６と上スリーブピン２及び下型ピン７と下スリーブピン４で囲まれる空間部に樹脂を流入して、弁体８を成形した状態を示す図面である。図２〜図７は、この成形された中栓体５と弁体８を離型する順序を示す図面である。なお、離型の順序は、図２〜図７の順序に限定されるものではない。
【００１６】
図２は、上型ピン６と上スリーブピン２とで、弁体８のカップ部９が成形された後、上型ピン６を離型する状態を示す図面である。上型ピン６が離型されることにより、弁体８のカップ部９の内面が開放される。又図３は、上型ピン６に続いて、上スリーブピン２が離型される状態を示す図面である。上スリーブピン２が離型することにより、弁体８のカップ部９の外面及び中栓体５の上部内面が開放される。
【００１７】
図４は、キャビティー１が離型され、中栓体５の外面が開放される図面であり、図５は、下型ピン７が離型される状態を示す図面である。下型ピン７が離型されることにより、弁体８の脚部１０の内面が開放される。さらに、図６は、下型ピン７に続いて、下スリーブピン４が離型される状態を示す図面である。下スリーブピン４が離型されることにより、弁体８の脚部１０の外面及び中栓体８の下部内面が開放される。又図７は、コアピン３が離型され、中栓体８の下部内面が開放された図面である。なお、離型は、この順序に限定されるものではない。例えば、下金型である下型ピン７、下スリーブピン４及びコアピン３等から離型されてもよい。発明者は、種々検討を重ねた結果、中栓体５と弁体８が連結されないで分離した状態で、同時成形されることを見出す製造方法を見出したのである。なお、弁体８は、中栓体５の弁座１１に、カップ部９及び脚部１０の抜止部１０ａが上下で係合するので、中栓体５から外れないように工夫されている。
【実施例２】
【００１８】
図８は、本発明の実施例２を示すもので、本発明に係る製造方法で成形された中栓体５と弁体８を、チューブ容器の頭部１２及びショルダー１３の内側に接合した状態を示す図面である。接合の方法は、マンドレル（図示せず）上に、本発明に係る製造方法で成形された弁体８を有する中栓体５を載置し、その上にチューブ容器の頭部１２及びショルダー１３を成形するための金型（図示せず）を載置し、この金型に樹脂を流し込む射出成形による製造方法、又は別成形で製造される頭部１２及びショルダー１３の内側に、本発明に係る製造方法で成形される弁体８を有する中栓体５を接合する方法等がある。なおショルダー１３の下側には、アルミ箔を有するラミネート等の素材で構成される胴部１７が溶着されている。この実施例２は、カップ部９の円錐テーパー面９ａが、中栓体５の弁座１１に面接触で当接するので、確実な弁作用を呈する。
【実施例３】
【００１９】
図９は、本発明の実施例３を示すもので、本発明に係る製造方法で成形された中栓体５の外周面と、チューブ容器の頭部１２及びショルダー１３の間に、アルミニウム箔又はガスバリア製樹脂を有する多層樹脂で構成される閉鎖膜１４が設けられている実施例である。
閉鎖膜１４により開封まで内容物の保存性に優れる。ショルダー１３の下側には、同様にアルミ箔を有するラミネート等の素材で構成される胴部１７が溶着されている。又カップ部９の円錐テーパー面９ａが、中栓体５の弁座１１に面接触で当接するので、確実な弁作用を呈する。したがって、エアーバックを防止でき、内容物の変質を効果的に防止できる。
【実施例４】
【００２０】
図１０は、本発明の実施例４を示すもので、チューブ容器の頭部１５及びショルダー部
１６と弁体８を、同時成形する製造方法を示す図面である。中栓体の成形に代えてチューブ容器の頭部及びショルダー部を、弁体と同時成形する実施例である。図１１は、この製造方法により製造されたチューブ容器の頭部１５及びショルダー部１６に、アルミ箔を有するラミネート等の素材で構成される胴部１７が溶着されるチューブ容器を示す図面である。この実施例４によれば、製造工程における手数をより省くことができ、かつ製造コストがより安価になるという利点がある。なお、他の実施例として、チューブ容器の頭部、ショルダー部及び胴部のすべてを、弁体と同時成形することも可能である（図示ぜず）。この場合において、同様に弁体はチューブ容器と分離した状態で同時成形され、製造工程及び製造コストを頗る省くことができる。
【産業上の利用可能性】
【００２１】
本発明に係る製造方法において製造される、チューブ容器の頭部及びショルダー内に、本発明の製造方法で、同時成形される弁体を有する中栓体が組み込まれたチューブ容器は、組み立て工程数が少なく、かつ製造コストが安価であると共に、高い逆流防止機能を有するので、内容物として化粧品、医薬品、食料品等を充填するチューブ容器として、多岐にわたって利用することができる。
【符号の説明】
【００２２】
１  キャビティ
２  上スリーブピン
３  コアピン
４  下スリーブピン
５  中栓体
６  上型ピン
７  下型ピン
８  弁体
９  カップ部
９ａ  円錐テーパー面
１０脚部
１１  弁座
１１ａテーパー部
１２、１５頭部
１３、１６ショルダー部
【図１】
2010179474.tif 000003
【図２】
2010179474.tif 000004
【図３】
2010179474.tif 000005
【図４】
2010179474.tif 000006
【図５】
2010179474.tif 000007
【図６】
2010179474.tif 000008
【図７】
2010179474.tif 000009
【図８】
2010179474.tif 000010
【図９】
2010179474.tif 000011
【図１０】
2010179474.tif 000012
【図１１】
2010179474.tif 000013
【図１２】
2010179474.tif 000014
【図１３】
2010179474.tif 000015